(57)【特許請求の範囲】
【請求項１】
壁面に取り付けられ、上面に物品を載置可能な１枚の板材からなる一段の棚部と、該棚部の下面に固定されたリモコンホルダと、該リモコンホルダに取り付けられ、便器装置を作動可能なリモコン部とが一体をなし、該リモコン部の横長形状の操作面は該棚部の前面の下方に位置し、該リモコン部又は該リモコンホルダは、その下方にトイレットペーパホルダが取り付けられていることを特徴とするリモコン一体棚。
【請求項２】
前記リモコン部は、前記棚部から離反せずに突出可能であることを特徴とする請求項１記載のリモコン一体棚。
【請求項３】
前記リモコン部は、前記棚部から着脱可能であることを特徴とする請求項１記載のリモコン一体棚。
【請求項４】
前記リモコン部の操作面は、多用される主操作スイッチが配置される主操作面と、多用されない副操作スイッチが配置される副操作面とからなり、該副操作面は前記棚部に隠蔽可能であることを特徴とする請求項１乃至３のいずれか１項記載のリモコン一体棚。
【請求項５】
前記リモコン部は電池を取り出し得る開口を有し、該開口は前記棚部に隠蔽可能であることを特徴とする請求項１乃至４のいずれか１項記載のリモコン一体棚。
【請求項６】
前記棚部の上面には、前記リモコン部の上方に延在し、使用者が把持可能な手摺部が一体に設けられていることを特徴とする請求項１乃至５のいずれか１項記載のリモコン一体棚。
【発明の詳細な説明】
【０００１】
【発明が属する技術分野】
本発明は、上面に物品を載置可能であるとともに、便器装置を作動可能なリモコン一体棚に関する。このリモコン一体棚は例えば住居等のトイレ室に設けて好適である。
【０００２】
【従来の技術】
例えば、トイレ室では、図３６に示すように、シャワートイレ等の電気制御可能な便器装置９２が設けられているとともに、この便器装置９２の周辺の壁面９１にその便器装置９２を作動可能なリモコン９６、棚９３、ペーパーホルダ９４、タオル掛け９５等が設けられ得る。ここで、リモコン９６は、壁面９１に固定される図示しないリモコンホルダにより着脱可能になされることが一般的である。この場合、便器装置９２を使用する者が腕や手を棚９３の水平な上面９３ａに乗せる場合もあり得ることから、そのような棚９３は比較的低い位置に設けられることが一般的である。一方、その使用者にとっての視認性及び操作性向上の観点から、その棚９３の上面９３ａより上方に操作面９６ａを位置させるべくリモコン９６を設けることが一般的である。
【０００３】
こうして、このトイレ室では、その使用者によりリモコン９６の操作面９６ａが触手可能になるとともに、棚９３の上面９３ａに載置され得る予備のトイレットペーパ等の物品もその者により触手可能となる。
【０００４】
【発明が解決しようとする課題】
しかし、上記のようにすると、棚９３とリモコン９６とを別々に壁面９１に取り付けなければならないため、施工性が悪いとともに、美観が損なわれるという欠点がある。
【０００５】
また、上記のように棚９３の上面９３ａより上方にリモコン９６の操作面９６ａを位置させていると、その棚９３の上面９３ａにはリモコン９６の優れた操作性確保のためにある程度のスペースが不可欠となり、そのスペースに物品を載置できないことから、トイレ室内を煩雑にすることともなる。
【０００６】
仮に、棚９３の上面９３ａにむやみに物品を載置した場合、その物品が使用者にとってリモコン９６の視認性及び操作性の上で邪魔になり、そのリモコン９６の操作性が低下してしまう。
【０００７】
このため、リモコン９６を壁面９１より取外し、棚９３の上面９３ａにこれを置いて使用することも考えられる。ところが、こうすると、操作面９６ａが上方を向いてしまってリモコン９６の操作性が低下するとともに、リモコン９６を載置した部分ではやはり棚９３の上面９３ａに他の物品を置くことができなくなり、同様にトイレ室内を煩雑化することとなる。
【０００８】
このようなことは、トイレ室に限らずキッチン、リビングルーム等においても起こり得る。
【０００９】
本発明は、上記従来の実情に鑑みてなされたものであって、トイレ室等の優れた施工性及び美観の発揮を可能としつつ、煩雑化を有効に防止できるリモコン一体棚を提供することを解決すべき課題としている。
【００１０】
【課題を解決するための手段】
本発明のリモコン一体棚は、壁面に取り付けられ、上面に物品を載置可能な１枚の板材からなる一段の棚部と、該棚部の下面に固定されたリモコンホルダと、該リモコンホルダに取り付けられ、便器装置を作動可能なリモコン部とが一体をなし、該リモコン部の横長形状の操作面は該棚部の前面の下方に位置し、該リモコン部又は該リモコンホルダは、その下方にトイレットペーパホルダが取り付けられていることを特徴とする。
【００１１】
本発明では、棚部とリモコン部とが一体をなすリモコン一体棚を壁面に取り付けることにより、上面に物品を載置可能であるとともに、便器装置を作動可能である。このため、施工性に優れるとともに、優れた美観を奏することができる。なお、棚部は一段のものである。また、リモコン部としては有線又は無線により便器装置に信号を送出するものを採用することができる。
【００１２】
また、このリモコン一体棚では、リモコン部の操作面が棚部の前面の下方に位置しているため、その棚部の上面にリモコン部の優れた操作性確保のためのスペースが不要となり、上面に自由に物品を載置できる。このため、煩雑化を有効に防止することができる。
【００１３】
さらに、こうであれば、棚部の上面に載置する物品が使用者の視認及び操作の上で邪魔にならず、リモコン部の操作面の位置を工夫することでリモコン部の視認性及び操作性を確保できる。
【００１４】
したがって、このリモコン一体棚によれば、トイレ室の優れた施工性及び美観の発揮を可能としつつ、煩雑化を有効に防止することができる。
【００１５】
リモコン部の操作面は棚部の前面の下方に位置している。こうであれば、使用者の視認性及び操作性を確実に確保することができる。
【００１６】
また、リモコン部は、棚部から離反せずに突出可能に設けることができる。これにより、リモコン部が前方に突出して使用者に近づくため、リモコン部の操作性をより確保することができる。
【００１７】
さらに、リモコン部を棚部から着脱可能に設けることもできる。これにより、使用者はリモコン部を棚部から取り外して自由な姿勢で操作できる。また、棚部から外したリモコン部を再び棚部に取り付けることにより、リモコン部の紛失も回避できる。
【００１８】
リモコン部の上面は中央から縁部に向けて下方に傾斜していることが好ましい。こうであれば、リモコン部の上面と棚部又はリモコンホルダとの間に水が入った場合でも、その水が上面に沿って落ちやすいため、リモコン部の上面が乾燥し易くなり、汚れ難くなる。
【００１９】
リモコン部は、操作面側が最も広く、この操作面と対面する他面に向かい徐々に狭くなり、その他面が最も狭くなっていることも好ましい。こうであれば、リモコン部を棚部又はリモコンホルダに挿入し易くなる。
【００２０】
リモコン部は便器装置に信号を送出する発信部を有し、棚部はこの発信部を露出させる開口を有することができる。こうであれば、リモコン部を棚部に取り付けた場合には、棚部に設けられた開口により発信部を露出することができるため、リモコン部から便器装置に信号を確実に送出することができる。
【００２１】
リモコン部の操作面を棚部の周囲の面と面一にすることができる。こうであれば、棚部の上面に物品を載置しようとする場合等、人体やその物品がリモコン部の操作面と干渉せず、リモコン部の誤動作や破損を防止することができる。また、この方が美観に優れる。
【００２２】
また、リモコン部の操作面は蓋が閉じられることにより隠蔽され、閉じられた蓋を棚部の周囲の面と面一にすることができる。これにより、不用意にリモコン部の操作面に触れることを防止できるため、誤動作を防止することができる。また、蓋が操作面を直視できないようにするとともに、操作面に付着せんとする埃等を蓋が防止することから、美観を奏することができる。
【００２３】
さらに、リモコン部の操作面は、多用される主操作スイッチが配置され、蓋が閉じられることにより隠蔽されない主操作面と、多用されない副操作スイッチが配置され、蓋が閉じられることにより隠蔽される副操作面とからなることができる。こうであれば、蓋を閉じることにより使用頻度の低い副操作面が隠蔽されるとともに、主操作面のみが直視可能となるため、誤動作を防止することができる。
【００２４】
この場合、閉じられた蓋をその周囲の面と面一にすることができる。これにより、上記と同様に誤動作を防止できる。また、副操作面を設けることにより主操作面の煩雑さを防止しつつ、蓋がその副操作面を直視できないようにするとともに、副操作面に付着せんとする埃等を蓋が防止することから、美観を奏することができる。
【００２５】
これらの蓋としては透明なものを採用することもできる。これにより、蓋を閉じた状態であっても、外部よりリモコン部の操作面が視認可能となる。特に有色透明であることが美観向上の点で好ましい。
【００２６】
リモコン部の操作面は、多用される主操作スイッチが配置される主操作面と、多用されない副操作スイッチが配置される副操作面とからなり、副操作面を棚部に隠蔽可能にすることもできる。こうであれば、副操作面を棚部に隠蔽することにより、主操作面のみが直視可能となるため、誤動作を防止することができる。
【００２７】
また、リモコン部は電池を取り出し得る開口を有し、この開口を棚部に隠蔽可能にすることができる。これにより、電池交換が必要となった場合のみ開口を棚部から露出させればよいため、美観向上の点で望ましい。また、開口の蓋として棚部を代用できるため、製造コストの低廉化を実現できる。
【００２８】
本発明のリモコン一体棚においては、棚部の上面に上方に延在し、使用者が把持可能な手摺部を一体に設けることもできる。この手摺部により、使用者が高齢者や体の弱い者である場合でも便器装置を容易に使用することができる。
【００２９】
本発明のリモコン一体棚は、住居等において比較的狭い空間であるトイレ室において効果が大きい。すなわち、トイレ室の煩雑化を有効に防止することができる。
【００３０】
リモコン部の操作面は便器装置に着座する人に対面して設けられていることが望ましい。こうであれば、使用者がリモコン部の操作面を最も見易く、操作しやすい。
【００３１】
さらに、リモコン部の下方には、トイレットペーパホルダが設けられている。これにより、リモコン部、棚部及びトイレットペーパホルダを別々に設ける必要がなくなるため、施工性が向上することとなる。
【００３２】
本発明のリモコン一体棚においては、便器装置はその機能又は使用者の健康状態を示す情報をリモコン部に送出し、リモコン部がこの情報を表示することもできる。こうであれば、便器装置の機能を表示することにより、快適な使用環境を作り出すことができる。また、使用者の健康状態を表示することにより、簡易に健康管理を行うことができる。
【００３３】
【発明の実施の形態】
以下、本発明を具体化した実施形態１〜３及び参考形態１〜１６を図面を参照しつつ説明する。
（参考形態１）
図１に示すように、参考形態１のリモコン一体棚３はトイレ室で使用される。つまり、このトイレ室では、シャワートイレ一体型の便器装置２が設けられているとともに、この便器装置２の周辺の壁面１にリモコン一体棚３が図示しないブラケットにより固定されている。このリモコン一体棚３は、便器装置２の使用者が腕や手をその水平な上面４ｂに乗せる場合もあり得ることから、比較的低い位置に設けられている。
【００３４】
リモコン一体棚３は、上面４ｂに物品を載置可能な一段の棚部４と、便器装置２を作動可能なリモコン部５とからなる。図２にも示すように、棚部４の前面４ａは使用者に対面すべく鉛直に対して下り勾配をなして傾斜している。この前面４ａから内部に向かって水平にリモコン部５が埋め込まれ、これによりリモコン部５は棚部４と一体化されている。こうして、リモコン部５の操作面５ａ及び棚部４の上面４ｂに載置され得る物品が使用者により触手可能とされている。
【００３５】
また、図３にも示すように、リモコン部５の操作面５ａは棚部４の前面４ａに位置している。このため、リモコン部５の操作面５ａは、棚部４の上面４ｂを除いた下方に位置しつつ、棚部４の前面４ａと面一になっている。なお、図２に示すように、リモコン部５の操作面５ａには主操作ボタンスイッチ５ｂ及び副操作ボタンスイッチ５ｃが水平方向で一列をなして配置されている。ここで、主操作ボタンスイッチ５ｂは洗浄スイッチ等の使用頻度の高いスイッチであり、副操作ボタンスイッチ５ｃは温度設定スイッチ等の使用頻度の低いスイッチである。
【００３６】
さらに、便器装置２は、使用者の体重、体脂肪等の健康状態に関する情報を自動的に取得できるようになっており、便座の温度、温水の温度等の便器装置の機能に関する情報とともにこの使用者の健康状態に関する情報を図示しない発光部から発信できるようになっている。リモコン部５には、便器装置２のその発光部から信号を受信するとともに、便器装置２の図示しない受光部に信号を発信する受光・発光部５ｅが設けられている。受光・発光部５ｅで受信された信号はリモコン部５の操作面５ａに配置された表示器５ｄにより表示されるようになっている。また、受光・発光部５ｅで発信した信号は便器装置２で反映されるようになっている。棚部４には、この受光・発光部５ｅを露出させる開口４ｃが設けられている。
【００３７】
以上のように構成されたリモコン一体棚３は、棚部４とリモコン部５とが一体をなして壁面１に取り付けられ、上面４ｂに物品を載置可能であるとともに、便器装置２を作動可能である。このため、施工性に優れるとともに、優れた美観を奏することができる。
【００３８】
また、このリモコン一体棚３では、リモコン部５の操作面５ａが棚部４の上面４ｂを除いた下方に位置しているため、その棚部４の上面４ｂにリモコン部４の優れた操作性確保のためのスペースが不要となり、上面４ｂに自由に物品を載置できることから、煩雑化を有効に防止することができる。
【００３９】
さらに、このリモコン一体棚３では、棚部４の上面４ｂに載置する物品が使用者の視認及び操作の上で邪魔にならず、かつリモコン部５の操作面５ａが棚部４の前面４ａに位置しているため、リモコン部５の視認性及び操作性を確実に確保できる。
【００４０】
したがって、このリモコン一体棚３によれば、トイレ室の優れた施工性及び美観の発揮を可能としつつ、煩雑化を有効に防止することができる。
【００４１】
また、このリモコン一体棚３では、リモコン部５の操作面５ａがその周囲である棚部４の前面４ａと面一であるため、棚部４の上面４ｂに物品を載置しようとする場合等、人体やその物品がリモコン部５の操作面５ａと干渉せず、リモコン部５の誤動作や破損を防止することができる。また、リモコン部５の操作面５ａが棚部４の下り勾配で傾斜している前面４ａと面一であるため、使用者がリモコン部５の操作面５ａを最も見易く、操作しやすい。さらに、これらにより優れた美観を奏している。
【００４２】
さらに、このリモコン一体棚３では、棚部４に受光・発光部５ｅを露出させる開口４ｃが設けられているため、受光・発光部５ｅを露出することができ、リモコン部５から便器装置２に信号を確実に送出することができる。
【００４３】
また、このリモコン一体棚３では、リモコン部５の操作面５ａに配置された表示器５ｄにより便座の温度、温水の温度等の便器装置２の機能を表示できるため、快適な使用環境を作り出すことができる。また、この表示器５ｄにより体重、体脂肪等の使用者の健康状態を表示できるため、簡易に健康管理を行うことができる。
【００４４】
（参考形態２)
参考形態２のリモコン一体棚６では、図４に示すように、棚部７の前面７ａが水平な上面７ｂ及び下面７ｃと垂直である。この前面７ａから内部に向かってリモコン部８が埋め込まれており、リモコン部８の下面８ｃと棚部７の下面７ｃとは面一となっている。また、リモコン部８の操作面８ａと棚部７の前面７ａも面一になっている。そして、操作面８ａには洗浄スイッチ等の主操作ボタンスイッチ８ｂが配置されている。
【００４５】
また、図５に示すように、操作面８ａを押すことによりリモコン部８が前方に突出すべく、棚部７とリモコン部８との間には図示しない公知のプッシュロックオープン機構が設けられている。こうして、リモコン部８は、棚部７から離反せずに突出可能となっている。そして、リモコン部８が前方に突出することにより露出したリモコン部８の上面８ｄには、温度設定スイッチ等の副操作ボタンスイッチ８ｅ及び電池Ｂを収納する開口８ｆが設けられている。他の構成は上記参考形態１と同様である。
【００４６】
以上のように構成されたリモコン一体棚６では、リモコン部８の操作面８ａがプッシュロックオープン機構により前方に突出して使用者に近づくため、リモコン部８の操作性をより確保することができる。また、主操作ボタンスイッチ８ｂを操作面８ａに配置し、副操作ボタンスイッチ８ｅを上面８ｄに配置していることから、これによってもリモコン部８の操作性をより確保することができる。すなわち、リモコン部８が棚部７内に収納されている場合、使用頻度の低い副操作スイッチ８ｅは棚部７の中に収納され、使用頻度の高い主操作ボタンスイッチ８ｂのみ操作可能となるため、誤動作を防止できるからである。
【００４７】
また、このリモコン一体棚６では、電池Ｂを収納する開口８ｆの蓋として棚部７を代用しているため、製造コストの低廉化を実現できる。その他の作用及び効果は上記参考形態１と同様である。
【００４８】
なお、リモコン部８の操作面８ａと棚部７の前面７ａとを使用者に対面すべく鉛直に対して傾斜させることもできる。また、プッシュロックオープン機構を採用せず、リモコン部８を前方に突出させるばねと、奥方にリモコン部８を収納した際に棚部７とリモコン部とを係止する公知の係止手段とを採用することもできる。
【００４９】
（参考形態３)
図６に示すように、参考形態３のリモコン一体棚９においても棚部１０の前面１０ａが水平な上面１０ｂ及び下面１０ｃと垂直である。この前面１０ａから内部に向かってリモコン部１１が埋め込まれており、リモコン部１１の下面１１ｃと棚部１０の下面１０ｃとは面一となっている。また、リモコン部１１の操作面１１ａは使用者に対面すべく鉛直に対して下り勾配で傾斜している。そして、操作面１１ａには洗浄スイッチ等の主操作ボタンスイッチ１１ｂ及び温度設定スイッチ等の副操作ボタンスイッチ１１ｅが水平方向に二列をなして配置されている。他の構成は上記参考形態１と同様である。
【００５０】
以上のように構成されたリモコン一体棚９によっても参考形態１と同様の作用及び効果が得られる。
【００５１】
（参考形態４)
図７に示すように、参考形態４のリモコン一体棚１２では、棚部１３の前面１３ａが水平な上面１３ｂ及び下面１３ｃと垂直である。この前面１３ａにはホルダ面１３ｄが凹設され、ホルダ面１３ｄにリモコン部１４が水平方向で着脱可能に収納されている。
【００５２】
また、リモコン部１４の操作面１４ａは使用者に対面すべく鉛直に対して傾斜している。そして、リモコン部１４の操作面１４ａには洗浄スイッチ等の主操作ボタンスイッチ１４ｂが配置され、リモコン部１４の上面１４ｄには温度設定スイッチ等の副操作ボタンスイッチ１４ｅが配置されている。他の構成は上記参考形態１と同様である。
【００５３】
以上のように構成されたリモコン一体棚１２では、リモコン部１４を棚部１３から着脱できるため、使用者はリモコン部１４を棚部１３から取り外して自由な姿勢で操作できる。また、棚部１３から外したリモコン部１４を再び棚部１３に取り付けることにより、リモコン部１４の紛失も回避できる。ここで、このリモコン一体棚１２では、棚部１３をリモコンホルダとして機能させているため、リモコンホルダの省略により製造コストの低廉化を実現できる。他の作用及び効果は上記参考形態１と同様である。
【００５４】
（参考形態５)
図８に示すように、参考形態５のリモコン一体棚１５では、市販の１枚の板材からなる棚部１６を採用しており、棚部１６の下方にリモコン部１７がＬ字形状をなす一対のブラケットからなるリモコンホルダ１８により着脱可能になされている。
【００５５】
また、リモコン部１７の操作面１７ａは使用者に対面すべく鉛直に対して下り勾配で傾斜している。そして、操作面１７ａには洗浄スイッチ等の主操作ボタンスイッチ１７ｂ及び温度設定スイッチ等の副操作ボタンスイッチ１７ｅが水平方向で一列をなして配置されている。他の構成は上記参考形態１と同様である。
【００５６】
以上のように構成されたリモコン一体棚１５では、市販の棚部１６をそのまま採用しているため、製造コストの低廉化を実現できる。他の作用及び効果は上記参考形態１と同様である。
【００５７】
なお、図９に示すように、リモコン部１７の操作面１７ａを棚部１６の前面１６ａから少し後退させて、操作面１７ａが前面１６ａから突出しないようにすることもできる。
【００５８】
（参考形態６)
図１０に示すように、参考形態６のリモコン一体棚１９でも、市販の１枚の板材からなる棚部２０を採用しており、棚部２０の下面２０ｃにはリモコン部２１を収納可能な箱型のリモコンホルダ２２がＬ字形状をなす一対のブラケット２３により設けられている。リモコンホルダ２２にはホルダ面２２ａが凹設され、ホルダ面２２ａ内にリモコン部２１が着脱可能に収納されている。
【００５９】
また、リモコン部２１の操作面２１ａは使用者に対面すべく鉛直に対して傾斜している。そして、操作面２１ａには洗浄スイッチ等の主操作ボタンスイッチ２１ｂ及び温度設定スイッチ等の副操作ボタンスイッチ２１ｅが水平方向に二列をなして配置されている。他の構成は上記参考形態１と同様である。
【００６０】
以上のように構成されたリモコン一体棚１９においても、市販の棚部２０をそのまま採用しているため、製造コストの低廉化を実現できる。また、リモコン部２１をリモコンホルダ２２から着脱可能であるため、リモコン部２１の操作性向上と紛失防止とを実現できる。他の作用及び効果は上記参考形態１と同様である。
【００６１】
（参考形態７)
図１１に示すように、参考形態７のリモコン一体棚２４では、棚部２５の前面２５ａが水平な上面２５ｂ及び下面２５ｃと垂直である。この前面２５ａから内部に向かってリモコン部２６が埋め込まれている。また、リモコン部２６の操作面２６ａは棚部２５の前面２５ａより少し後退している。そして、操作面２６ａには洗浄スイッチ等の主操作ボタンスイッチ２６ｂ及び温度設定スイッチ等の副操作ボタンスイッチ２６ｅが水平方向に一列をなして配置されている。
【００６２】
また、棚部２５の前面２５ａには、有色透明のアクリル板等からなる一対の蓋２７が摺動可能に設けられている。これらの蓋２７を閉じることによりリモコン部２６の操作面２６ａが隠蔽され、閉じられた蓋２７と棚部２５の前面２５ａとは面一となる。他の構成は上記参考形態１と同様である。
【００６３】
以上のように構成されたリモコン一体棚２４では、一対の蓋２７を閉じることによりリモコン部２６の操作面２６ａが隠蔽されるため、リモコン部２６の操作性を確保することができる。すなわち、一対の蓋２７を閉じることによりリモコン部２６の操作面２６ａに誤って触れることがなくなるため、誤動作を防止できるからである。また、蓋２７が操作面２６ａを直視できないようにするとともに、操作面２６ａに付着せんとする埃等を蓋が防止することから、美観を奏することができる。他の作用及び効果は参考形態１と同様である。
【００６４】
（参考形態８)
図１２に示すように、参考形態８のリモコン一体棚２８では、棚部２９の前面２９ａが水平な上面２９ｂ及び下面２９ｃと垂直である。この前面２９ａから内部に向かってリモコン部３０が埋め込まれている。また、リモコン部３０の操作面３０ａは、洗浄スイッチ等の主操作ボタンスイッチ３０ｂが配置される主操作面３０１ａと温度設定スイッチ等の副操作ボタンスイッチ３０ｅが配置される副操作面３０２ａとからなる。そして、主操作面３０１ａは鉛直に対して下り勾配をなして傾斜し、副操作面３０２ａは棚部２９の前面２９ａより少し後退している。
【００６５】
また、棚部２９の前面２９ａには、無色透明のアクリル板等からなる蓋３１が摺動可能に設けられている。この蓋３１を閉じることによりリモコン部３０の副操作面３０２ａが隠蔽され、閉じられた蓋３１と棚部２９の前面２９ａとは面一となる。他の構成は上記参考形態１と同様である。
【００６６】
以上のように構成されたリモコン一体棚２８では、蓋３１を閉じることにより使用頻度の低い副操作面３０２ａが隠蔽されるとともに、主操作面３０１ａのみが直視可能となるため、誤動作を防止することができる。また、副操作面３０２ａを設けることにより主操作面３０１ａの煩雑さを防止しつつ、蓋３１がその副操作面３０２ａを直視できないようにするとともに、副操作面３０２ａに付着せんとする埃等を蓋が防止することから、美観を奏することができる。他の作用及び効果は参考形態１と同様である。
【００６７】
（参考形態９)
図１３に示すように、参考形態９のリモコン一体棚３２では、棚部３３の前面３３ａは水平な上面３３ｂ及び下面３３ｃと垂直である。この前面３３ａから内部に向かってリモコン部３４が埋め込まれており、リモコン部３４の操作面３４ａは使用者に対面すべく鉛直に対して傾斜している。そして、操作面３４ａには洗浄スイッチ等の主操作ボタンスイッチ３４ｂ及び温度設定スイッチ等の副操作ボタンスイッチ３４ｅが水平方向に一列をなして配置されている。また、棚部３３の下面３３ｃには市販のトイレットペーパホルダ３５が設けられている。他の構成は上記参考形態１と同様である。
【００６８】
以上のように構成されたリモコン一体棚３２では、リモコン部３４、棚部３３及びトイレットペーパホルダ３５を別々に設ける必要がなくなるため、施工性が向上することとなる。他の作用及び効果は上記参考形態１と同様である。
【００６９】
（実施形態１)
図１４に示すように、実施形態１のリモコン一体棚３６では、棚部３７の水平な上面３７ｂにおいて、上方に延在し、使用者が把持可能な手摺部４０が一体に設けられている。手摺部４０の上端は固定具４０ａにより壁面１に取り付けられている。
【００７０】
以上のように構成されたリモコン一体棚３６では、手摺部４０により、使用者が高齢者や体の弱い者である場合でも便器装置２を容易に使用することができる。また、手摺部４０の上端が固定具４０ａにより壁面１に取り付けられているため、手摺部４０は棚部３７及び壁面１により固定されることなり、十分な強度を確保することができる。他の作用及び効果は上記参考形態９と同様である。
【００７１】
また、図１５に示すように、棚部３７をブラケット４１により壁面１に固定し、電池ボックス４２を棚部３７の下面３７ｃに設けることもできる。そして、電池ボックス４２の中には、リモコン部３８に電力を供給する電池を収納することができる。
【００７２】
（参考形態１０)
図１６に示すように、参考形態１０のリモコン一体棚４３では、市販の１枚の板材からなる棚部４４を採用しており、棚部４４の下方にリモコン部４５が取り付けられている。
【００７３】
リモコン部４５の操作面４５ａは主操作面４５１ａと副操作面４５２ａとからなり、操作面４５ａは主操作面４５１ａと副操作面４５２ａとにより開閉可能に構成されている。つまり、操作面４５ａを閉じた状態では主操作面４５１ａ及び副操作面４５２ａは隠蔽され、操作面４５ａを開いた状態では主操作面４５１ａ及び副操作面４５２ａは視認可能となる。この主操作面４５１ａには洗浄スイッチ等の主操作ボタンスイッチ４５ｂが配置され、副操作面４５２ａには副操作ボタンスイッチ４５ｅが配置されている。他の構成は上記参考形態１と同様である。
【００７４】
以上のように構成されたリモコン一体棚４３では、操作面４５ａを閉じることによりリモコン部４５の操作面４５ａが隠蔽されるため、リモコン部４５の操作性を確保することができる。すなわち、操作面４５ａを閉じることによりリモコン部４５の操作面４５ａに誤って触れることがなくなるため、誤動作を防止できるからである。また、操作面４５ａを閉じることにより操作面４５ａを直視できないようにするとともに、操作面４５ａに付着せんとする埃等を蓋が防止することから、美観を奏することができる。さらに、市販の棚部４４をそのまま採用しているため、製造コストの低廉化を実現できる。他の作用及び効果は上記参考形態１と同様である。
【００７５】
（参考形態１１)
図１７に示すように、参考形態１１のリモコン一体棚４６では、市販の１枚の板材からなる棚部４７を採用しており、棚部４７の下方にリモコン部４８が前方に引出し可能に取り付けられている。
【００７６】
また、リモコン部４８の操作面４８ａは使用者に対面すべく鉛直に対して傾斜している。そして、リモコン部４８の操作面４８ａには洗浄スイッチ等の主操作ボタンスイッチ４８ｂが配置され、リモコン部４８の水平な上面４８ｄには温度設定スイッチ等の副操作ボタンスイッチ４８ｅ及び電池Ｂを収納する開口４８ｆが設けられている。他の構成は上記参考形態１と同様である。
【００７７】
以上のように構成されたリモコン一体棚４６では、リモコン部４８を前方に引出すことにより操作面４８ａが使用者に近づくため、リモコン部４８の操作性をより確保することができる。また、主操作ボタンスイッチ４８ｂを操作面４８ａに配置し、副操作ボタンスイッチ４８ｅを水平な上面４８ｄに配置していることから、これによってもリモコン部４８の操作性をより確保することができる。すなわち、リモコン部４８が棚部４７の下に収納されている場合、使用頻度の低い副操作スイッチ４８ｅは棚部４７の下に収納され、使用頻度の高い主操作ボタンスイッチ４８ｂのみ操作可能となるため、誤動作を防止できるからである。さらに、このリモコン一体棚４６では、電池Ｂを収納する開口４８ｆの蓋として棚部４７を代用しているため、製造コストの低廉化を実現できる。その他の作用及び効果は上記参考形態１と同様である。
【００７８】
（参考形態１２)
参考形態１２のリモコン一体棚では、図１８及び図１９に示すように、市販の１枚の板材からなる棚部５２を採用しており、棚部５２の下方にリモコン部５３がコの字形状をなすリモコンホルダ５１により着脱可能になされている。リモコン部５３の上面等には、図１９に示すように、リモコンホルダ５１に嵌まり込む凹部５３ｃが設けられている。他の構成は上記参考形態１と同様である。
【００７９】
このリモコン一体棚では、まず、リモコンホルダ５１を壁面１に固定するとともに、リモコンホルダ５１上に棚部５２を固定する。そして、前方側よりリモコン部５３をリモコンホルダ５１に対して嵌め込むことにより、リモコン部５３を棚部５２の下面に配置することができる。作用及び効果は上記参考実施形態５と同様である。
【００８０】
（参考形態１３)
参考形態１３のリモコン一体棚では、図２０及び図２１に示すように、市販の１枚の板材からなる棚部５５を採用しており、棚部５５の下方にリモコン部５６がＬ字形状をなす一対のブラケットからなるリモコンホルダ５４により着脱可能になされている。リモコン部５６にはビス５６ｃが挿通するビス孔５６ｄが予め設けられている。他の構成は上記参考形態１と同様である。
【００８１】
このリモコン一体棚では、まず、壁面１に各リモコンホルダ５４をビス５４ａで固定し、各リモコンホルダ５４上に棚部５５を配置する。そして、棚部５５の下面側からビス５６ｃにより各リモコンホルダ５４を通してリモコン部５６を棚部５５に固定する。作用及び効果は上記参考形態５と同様である。
【００８２】
（参考形態１４)
参考形態１４のリモコン一体棚では、図２２及び図２３に示すように、市販の１枚の板材からなる棚部５８を採用しており、棚部５８の下方にリモコン部５９がリモコンホルダ５７にスライド可能に設けられている。
【００８３】
このリモコン一体棚では、リモコンホルダ５７が水平状をなす水平基部５７ａを有し、この水平基部５７ａには前面両端側から前方側へ一対の保持アーム５７ｂ、５７ｂが突出して設けられている。そして、リモコン部５９は各保持アーム５７ｂ上に前後方向にスライド可能に取り付けられている。また、リモコンホルダ５７の水平基部５７ａの上面には一対のレール状のスライドレール５７ｃが設けられ、棚部５８の下面には各スライドレール５７ｃと係合するレール状のガイドフック５８ｃが設けられている。他の構成は上記参考形態１と同様である。
【００８４】
そして、図２３に示すように、壁面１に棚部５８を予め固定させた後、この棚部５８のガイドフック５８ｃに対し、スライドレール５７ｃを前方側より嵌め込む。この状態でリモコンホルダ５７を後方側へスライドさせ、リモコンホルダ５７の垂直基部５７ｄを壁面１に当接させる。そして、垂直基部５７ｄの前面よりビス５７ｅによりリモコンホルダ５７を壁面１に固定する。作用及び効果は上記参考形態６と同様である。
【００８５】
なお、図２４においては、リモコン部６１をスライド可能に棚部６０に一体化するリモコン一体棚の別例を示す。このリモコン一体棚では、棚部６０の左右両端側から下方に向かって垂下片６０ｃを設け、各垂下片６０ｃの下端から内側へ向かって水平状にレール片６０ｄを設けている。一方、リモコン部６１の側壁面には側面溝６１ｄを凹状に設けている。そして、各側面溝６１ｄに対してレール片６０ｄを係入させ、リモコン部６１を棚部６０の前方側より後方側へ押し込むことにより、リモコン部６１を棚部６０の下面に配置させる。このリモコン一体棚によれば、棚部６０自体をリモコンホルダとして使用できる。その他の作用及び効果は上記参考形態６と同様である。
【００８６】
（実施形態２)
実施形態２のリモコン一体棚では、図２５〜２９に示すように、リモコン部６２、６４と紙切板６３ｃ、６５ｃを有する市販のトイレットペーパホルダ６３、６５とが一体とされて棚部６６に設けられている。これらのリモコン一体棚では、図２５及び図２６に示すように、リモコン部６２、６４とトイレットペーパホルダ６３、６５とが一体化されている。
【００８７】
すなわち、図２５に示すように、リモコン部６２には上下に貫通するビス孔６２ｅが設けられている。そして、ビス孔６２ｅ内に上方より挿入したビス６２ｄにより、リモコン部６２をトイレットペーパホルダ６３の上面６３ａに固定している。
【００８８】
また、図２６に示すように、リモコン部６４の下面６４ｃにトイレットペーパホルダ６５を一体として設けることもできる。この場合、リモコン部６４の下面６４ｃに下方側へ垂下状に垂下片６４ｄ、６４ｄを固設しておき、この各垂下片６４ｄの下端に外側へ突出して爪６４ｅを設ける。一方、トイレットペーパホルダ６５の上面６５ａには、前記垂下片６４ｄを挿通させることのできるスリット状の爪孔６５ｄを設ける。これにより、爪孔６５ｄ内に爪６４ｅを係合させ、ワンタッチでトイレットペーパホルダ６５の上面６５ａにリモコン部６４を固定させて一体化している。
【００８９】
そして、図２７に示すように、壁面１に設けられた棚部６６の下面とリモコン部６２、６４の上面とを密着させ、トイレットペーパホルダ６３、６５の背面板６３ｄをビス６７により壁面１に固定する。これにより、リモコン部６２、６４及びトイレットペーパホルダ６３、６５を壁面１に固定することができる。
【００９０】
なお、リモコン部６２、６４には、トイレットペーパホルダ６３、６５に代えて収納ボックスを一体化させることもできる。この場合、リモコン部６２、６４と収納ボックスとを一体化させた後、壁面１に設けられた棚部６６の下面とリモコン部６２、６４の上面とを密着させ、収納ボックスをビス等で壁面１に固定することができる。
【００９１】
また、図２８に示すように、棚部６６を壁面１に取り付けるためにブラケット６８が使用されている場合には、トイレットペーパホルダ６３、６５の背面板６３ｄ、６５ｄをビス６７によりブラケット６８を貫通して壁面１に固定することができる。これによっても、リモコン部６２、６４及びトイレットペーパホルダ６３、６５を壁面１に固定することができる。
【００９２】
さらに、図２９に示すように、上記と同様に、棚部６６を壁面１に取り付けるためにブラケット６８が使用されている場合には、リモコン部６２、６４の上面の一部にフックを取り付けておき、このフックをブラケット６８に引っ掛けた後に、トイレットペーパホルダ６３、６５の背面板６３ｄ、６５ｄをビス６７によりブラケット６８を貫通して壁面１に固定することができる。これによっても、リモコン部６２、６４及びトイレットペーパホルダ６３、６５を壁面１に固定することができる。
【００９３】
これらのリモコン一体棚によっても、上記参考形態９と同様の作用及び効果を奏することができる。
【００９４】
（実施形態３)
実施形態３のリモコン一体棚では、図３０に示すように、市販の１枚の板材からなる棚部７１を採用しており、棚部７１の下面に箱型のリモコンホルダ７２を固定し、このリモコンホルダ７２に対し脱着可能にリモコン部７３を取り付けるものである。
【００９５】
このリモコン一体棚では、棚部７１の下面にリモコンホルダ７２を取り付けるための固定板７１ｃが固定されている。そして、この固定板７１ｃと係合すべくリモコンホルダ７２の上面に係合溝部７２ｃが設けられている。また、リモコンホルダ７２の前面には開口７２ｋが形成され、この開口７２ｋの左右の側縁から内側に向かつて水平に突出してレール７２ｄが設けられる。さらに、リモコンホルダ７２の下面には、下方へ突出する垂下片７２ｅが設けられ、垂下片７２ｅの下端部には爪７２ｆが設けられる。そして、この垂下片７２ｅをトイレットペーパホルダ７４の上面に設けられた爪穴７４ａに差し込み、リモコンホルダ７２の下面にトイレットペーパホルダ７４が取り付けられる。
【００９６】
一方、リモコン部７３の側面には前後方向に側面溝７３ｄが設けられている。そして、リモコンホルダ７２の開口７２ｋの前面側からリモコン部７３を差し込んでいる。このとき、リモコンホルダ７２のレール７２ｄにリモコン部７３の側面溝７３ｄを係合させ、リモコン部７３をスライドさせてリモコンホルダ７２に取り付けることができる。このリモコン一体棚によっても、上記参考形態６と同様の作用及び効果を奏することができる。
【００９７】
（参考形態１５)
参考形態１５のリモコン一体棚では、図３１に示すように、市販の１枚の板材からなる棚部７５を採用しており、棚部７５の下面に固定した箱型のリモコンホルダ７６にアタッチメント７７を取り付け、寸法の異なるリモコン部７８に対応できるようにしている。
【００９８】
アタッチメント７７には、前面７７ａよりリモコン部７８を取り付ける開口７７ｋが設けられているとともに、リモコンホルダ７６の開口７６ｋ内にスライドさせるための差込みバー７７ｂが設けられている。このアタッチメント７７はネジ穴７７ｃを介し、ビス等によりリモコンホルダ７６に固定される。なお、寸法の異なる開口７７ｋを有する複数のアタッチメント７７を用意すれば、寸法の異なる複数のリモコン部７８に対応することができる。このリモコン一体棚によっても、上記参考形態６と同様の作用及び効果を奏することができる。
【００９９】
（参考形態１６)
参考形態１６のリモコン一体棚では、図３２に示すように、市販の１枚の板材からなる棚部７９を採用しており、棚部７９の下面に固定した箱型のリモコンホルダ８０にシャッター８０ａを取り付け、寸法の異なる複数のリモコン部８１に対応するものである。
【０１００】
このリモコン一体棚では、リモコンホルダ８０の開口８０ｋ内の底面には、前後方向に延在する一対の下面レール８０ｃが設けられている。一方、リモコン部８１の底面には、下面レール８０ｃに係合する一対の底溝８１ｃが設けられている。これにより、下面レール８０ｃに底溝８１ｃを係合させて、リモコン部８１をリモコンホルダ８０内に押し込むことにより、リモコン部８１をリモコンホルダ８０に取り付けることができる。
【０１０１】
また、シャッター８０ａは、節度感を持って所定の寸法ずつ左右方向にスライドさせることができるため、取り付けるリモコン部８１に合わせてシャッター８０ａ、８０ａを開閉することができる。その他の作用及び効果は上記参考形態６と同様である。
【０１０２】
さらに、リモコン部８１の前端側の上面から下方に向かってダボ孔８１ｇが設けられている。そして、縦断面を三角形の形状にした操作部８１ｄをダボ８１ｆによりリモコン部８１の本体に取り付けている。この操作部８１ｄには主操作面８１１ａが形成され、操作部８１ｄにより隠蔽されるリモコン部８１の本体上面には副操作面８１２ａが形成される。主操作面８１１ａには洗浄スイッチ等の主操作ボタンスイッチ８１ｂが配置され、副操作面８１２ａには副操作ボタンスイッチ８１ｅが配置されている。そして、主操作面８１１ａと副操作面８１２ａとにより操作面８１が構成される。
【０１０３】
このリモコン部８１では、通常の使用状態では、副操作面８１２ａが操作部８１ｄにより隠蔽され、主操作面８１１ａのみが視認可能である。そして、必要により、操作部８１ｄを取り外して副操作ボタンスイッチ８１ｅを操作することができる。このため、このリモコン部８１によれば誤動作を防止することができる。
【０１０４】
なお、上記実施形態１〜３及び参考形態２〜１６においても、リモコン部８、１１、１４、１７、２１、２６、３０、３４、３８、４５、４８、５３、５６、５９、６１、６２、６４、７３、７８、８１に便器装置２を制御するための発光部を設けることもできる他、棚部７、１０、１３、１６、２０、２５、２９、３３、３７、４４、４７、５２、５５、５８、６０、６６、７１、７５、７９、リモコンホルダ１８、２２、５１、５４、５７、７２、７６、８０又はブラケット２３、６８の前面、側面又は下面に発光部を設けることもできる。
【０１０５】
（変形形態）
さらに、上記実施形態１〜３及び参考形態１〜１６において、リモコン部５、８、１１、１４、１７、２１、２６、３０、３４、３８、４５、４８、５３、５６、５９、６１、６２、６４、７３、７８、８１として図３３〜３５に示す形状のリモコン部８２〜８４を使用することもできる。
【０１０６】
図３３に示すように、リモコン部８２の上面８２ｂが中央を最も高くして左右対称に傾斜しており、これにより上面８２ｂは中央から縁部に向けて下方に傾斜している。このリモコン部８２では、リモコン部８２の上面８２ｂと棚部４、７、１０、１３、１６、２５、２９、３３、３７、４４、４７、５２、５５、５８、６０、６６、７５、７９又はリモコンホルダ２２、７２との間に水が入った場合でも、その水が上面８２ｂに沿って落ちやすいため、リモコン部８２の上面８２ｂが乾燥し易くなり、汚れ難くなっている。なお、リモコン部８２の上面は曲面とすることもできる。
【０１０７】
また、図３４に示すように、リモコン部８３は、上面８３ｂの中央部を最も高くして左右対称に傾斜させているとともに、下面８３ｃの中央部を最も低くして左右対称に傾斜させている。このリモコン部８３では、リモコン部８３の上面８３ｂと棚部４、７、１０、１３、１６、２５、２９、３３、３７、４４、４７、５２、５５、５８、６０、６６、７５、７９又はリモコンホルダ２２、７２との間に水が入った場合、その水は、傾斜した上面８３ｂに沿って落ち、さらにリモコン８３の下面８３ｃに沿って中央に集まる。そのため、下面８３ｃの中央に集まった水を除去できるようにすれば、リモコン部８３が乾燥し易くなり、全体に汚れ難くなっている。なお、リモコン部８２の上面８３ｂ及び下面８３ｃは平面とすることも、曲面とすることもできる。
【０１０８】
さらに、図３５に示すように、リモコン部８４の上面８４ｂ及び下面８４ｃは、操作面８４ａ側が最も広く、他面８４ｄに向かい徐々に狭くなり、他面８４ｄが最も狭くなっている。このリモコン部８４では、リモコン部８４を棚部４、７、１０、１３、１６、２５、２９、３３、３７、４４、４７、５２、５５、５８、６０、６６、７５、７９又はリモコンホルダ２２、７２に挿入し易くなる。
【図面の簡単な説明】
【図１】参考形態１のリモコン一体棚に係るトイレ室の斜視図である。
【図２】参考形態１のリモコン一体棚の斜視図である。
【図３】参考形態１のリモコン一体棚の縦断面図である。
【図４】参考形態２のリモコン一体棚の斜視図である。
【図５】参考形態２のリモコン一体棚の要部拡大斜視図である。
【図６】参考形態３のリモコン一体棚の斜視図である。
【図７】参考形態４のリモコン一体棚の分解斜視図である。
【図８】参考形態５のリモコン一体棚の斜視図である。
【図９】参考形態５の変形形態であるリモコン一体棚の縦断面図である。
【図１０】参考形態６のリモコン一体棚の分解斜視図である。
【図１１】参考形態７のリモコン一体棚の要部斜視図である。
【図１２】参考形態８のリモコン一体棚の要部斜視図である。
【図１３】参考形態９のリモコン一体棚の斜視図である。
【図１４】実施形態１のリモコン一体棚の斜視図である。
【図１５】実施形態１の変形形態であるリモコン一体棚の正面図である。
【図１６】参考形態１０のリモコン一体棚の斜視図である。
【図１７】参考形態１１のリモコン一体棚の斜視図である。
【図１８】参考形態１２のリモコン一体棚の側面図である。
【図１９】参考形態１２のリモコン一体棚の要部斜視図である。
【図２０】参考形態１３のリモコン一体棚の側面図である。
【図２１】参考形態１３のリモコン一体棚の斜視図である。
【図２２】参考形態１４のリモコン一体棚の斜視図である。
【図２３】参考形態１４のリモコン一体棚の側面図である。
【図２４】参考形態１４の変形形態であるリモコン一体棚の正面図である。
【図２５】実施形態２のリモコン一体棚の要部斜視図である。
【図２６】実施形態２のリモコン一体棚の要部斜視図である。
【図２７】実施形態２のリモコン一体棚の側面図である。
【図２８】実施形態２のリモコン一体棚の側面図である。
【図２９】実施形態２のリモコン一体棚の側面図である。
【図３０】実施形態３のリモコン一体棚の正面図である。
【図３１】参考形態１５のリモコン一体棚の斜視図である。
【図３２】参考形態１６のリモコン一体棚の斜視図である。
【図３３】変形形態のリモコン部の正面図である。
【図３４】変形形態のリモコン部の正面図である。
【図３５】変形形態のリモコン部の上面図である。
【図３６】従来のトイレ室の側面図である。
【符号の説明】
１…壁面
４ｂ、７ｂ、１０ｂ、１３ｂ、１６ｂ、２０ｂ、２５ｂ、２９ｂ、３３ｂ、３７ｂ、４４ｂ、４７ｂ、５２ｂ、５５ｂ、５８ｂ、６０ｂ、６６ｂ、７１ｂ、７５ｂ、７９ｂ…上面
４、７、１０、１３、１６、２０、２５、２９、３３、３７、４４、４７、５２、５５、５８、６０、６６、７１、７５、７９…棚部
２…便器装置
５、８、１１、１４、１７、２１、２６、３０、３４、３８、４５、４８、５３、５６、５９、６１、６２、６４、７３、７８、８１、８２、８３、８４…リモコン部
５ａ、８ａ、１１ａ、１４ａ、１７ａ、２１ａ、２６ａ、３０ａ、３４ａ、３８ａ、４５ａ、４８ａ、５３ａ、５６ａ、５９ａ、６１ａ、６２ａ、６４ａ、７３ａ、７８ａ、８１ａ、８４ａ…操作面
５ｅ…受光・発光部（発信部）
４ｃ、４８ｆ…開口
２７、３１…蓋
３０１ａ、４５１ａ、８１１ａ…主操作面
３０２ａ、４５２ａ、８１２ａ…副操作面
４ａ、７ａ、１０ａ、１３ａ、１６ａ、２０ａ、２５ａ、２９ａ、３３ａ、３７ａ、４４ａ、４７ａ、５２ａ、５５ａ、５８ａ、６０ａ、６６ａ、７１ａ、７５ａ、７９ａ…前面
４０…手摺部
３５、３９、６３、６５…トイレ用備品（トイレットペーパホルダ）
【図１】
0004346196.tif 000002
【図２】
0004346196.tif 000003
【図３】
0004346196.tif 000004
【図４】
0004346196.tif 000005
【図５】
0004346196.tif 000006
【図６】
0004346196.tif 000007
【図７】
0004346196.tif 000008
【図８】
0004346196.tif 000009
【図９】
0004346196.tif 000010
【図１０】
0004346196.tif 000011
【図１１】
0004346196.tif 000012
【図１２】
0004346196.tif 000013
【図１３】
0004346196.tif 000014
【図１４】
0004346196.tif 000015
【図１５】
0004346196.tif 000016
【図１６】
0004346196.tif 000017
【図１７】
0004346196.tif 000018
【図１８】
0004346196.tif 000019
【図１９】
0004346196.tif 000020
【図２０】
0004346196.tif 000021
【図２１】
0004346196.tif 000022
【図２２】
0004346196.tif 000023
【図２３】
0004346196.tif 000024
【図２４】
0004346196.tif 000025
【図２５】
0004346196.tif 000026
【図２６】
0004346196.tif 000027
【図２７】
0004346196.tif 000028
【図２８】
0004346196.tif 000029
【図２９】
0004346196.tif 000030
【図３０】
0004346196.tif 000031
【図３１】
0004346196.tif 000032
【図３２】
0004346196.tif 000033
【図３３】
0004346196.tif 000034
【図３４】
0004346196.tif 000035
【図３５】
0004346196.tif 000036
【図３６】
0004346196.tif 000037